(57)【要約】【課題】出版した者が書籍の売上を正確に把握できると共に書籍の編集において収集した情報を書籍販売促進に役立たせることができる書籍販売システムを提供する。【解決手段】本発明の書籍販売システムは、書籍を出版する出版管理サーバ１と、ユーザ端末８とからなり、出版管理サーバ１とユーザ端末８とはインターネット７を介して双方向の通信が可能である。出版管理サーバ１は、出版される書籍の解説情報を提供する書籍解説情報提供手段２と、識別符号をユーザ端末に付与する識別符号付与手段３と、ユーザ端末から、出版される書籍を受注する受注手段４と、受注した書籍を出版してユーザ端末へ送付する書籍送付手段５とを備え、書籍送付手段５は、電子書籍送信手段６を備えている。ユーザ端末８は、出版管理サーバに出版される書籍を発注する発注手段９と、電子書籍受信手段１０とを備える。【選択図】図１
2007157067.tif 000002
【特許請求の範囲】
【請求項１】
書籍を出版する出版管理サーバと、ユーザ端末を有する書籍販売システムであって、
前記出版管理サーバは、出版される書籍の解説情報を提供する書籍解説情報提供手段と、
識別符号をユーザ端末に付与する識別符号付与手段と、
前記ユーザ端末から、出版される書籍を受注する受注手段と、
受注した書籍を出版してユーザ端末へ送付する書籍送付手段とを備え、
前記ユーザ端末は、付与された識別符号を入力すると共に前記出版管理サーバに出版される書籍を発注する発注手段を備え、
前記解説情報は画像情報を有すると共に、同画像情報は出版される書籍に使用される画像情報とは異なるものである
書籍販売システム。
【請求項２】
前記書籍送付手段は、電子化された書籍を前記ユーザ端末に送信する電子書籍送信手段を備え、
前記ユーザ端末は、前記電子書籍送信手段から送信される電子化された書籍を受信する電子書籍受信手段を備える
請求項１に記載の書籍販売システム。
【請求項３】
付与された識別符号を入力すると共に出版される書籍を発注する発注手段を備えるユーザ端末に対して書籍を出版する出版管理サーバを有する書籍販売システムであって、
前記出版管理サーバは、出版される書籍の解説情報を提供する書籍解説情報提供手段と、
識別符号をユーザ端末に付与する識別符号付与手段と、
前記ユーザ端末から出版される書籍を受注する受注手段と、
受注した書籍を出版してユーザ端末へ送付する書籍送付手段とを備え、
前記解説情報は画像情報を有すると共に、同画像情報は出版される書籍に使用される画像情報とは異なるものである
書籍販売システム。
【請求項４】
前記書籍送付手段は、電子化された書籍を前記ユーザ端末に送信する電子書籍送信手段を備える
請求項３に記載の書籍販売システム。
【発明の詳細な説明】
【技術分野】
【０００１】
本発明は書籍販売システムに関する。詳しくは、ユーザに書籍を直接、出版して販売する書籍販売システムに係るものである。
【背景技術】
【０００２】
通常、出版社は、出版した雑誌等の書籍を全国の書店に行き渡らせるために、取次ぎ会社を使っており、出版社から取次ぎ会社に書籍が納本され、取次ぎ会社は書店に書籍を配本する。
【０００３】
また、近年のインターネットの普及により、インターネット上でのオンライン書店サービスが開始され、インターネット上で書籍の注文を行なえるようになっており、このようなオンライン書店に関する様々な技術が提案されている。
【０００４】
例えば特許文献１には、印刷会社において書籍を印刷する工程で得られる編集データを利用して立読用電子コンテンツを作成し、コンテンツ格納部に格納しておき、オンライン書店のサイトにアクセスした消費者が、所望の書籍の検索要求を出すと、検索処理部により検索結果リストが提示され、消費者がリストから選択した書籍について立読要求を出すと、立読処理部により立読用電子コンテンツが消費者端末に送信される書籍販売システムが記載されている。このようなシステムにより、ネットワークを利用した書籍販売システムの仮想店舗において、一般消費者が任意の書籍を選択する利便性を向上させることが可能になる。
【０００５】
【特許文献１】特開２００３−１２２９６８号公報
【発明の開示】
【発明が解決しようとする課題】
【０００６】
ところで、我が国の書籍販売制度は、書店で売れ残った本を一定期間内で返品できる委託販売制度であるため、出版社が発行した部数がそのまま売上として計算できず、出版社は発行部数と返本率しか把握できない。
【０００７】
また、取次ぎ会社の影響力が大き過ぎ、配本数は、取次ぎ会社が保有する書店の売上実績データをもとに決定され、書店が取次ぎ会社に新刊を注文しても配本されない事態が頻発している。また、書籍がどの書店に配本されているかが必ずしも明確ではなく、しかも売上金を出版社が回収できるのは書籍を発売して約半年後であり、売上金の回収が遅いという問題もある。
【０００８】
そして、従来の書籍販売システムにおいても、印刷会社で作製された書籍は出版社へ納品された後、出版社から各書店や取次ぎ会社へと納品されており、上記のような問題を有している。
【０００９】
また、書籍の中でも例えば車の雑誌は、一冊作製されるまでに、出版社の社内編集部とあわせて外注カメラマン、外注ライター、外注デザイン事務所等が、費用をかけて取材を行い、そして内容を編集して出版されているが、出版される雑誌に使用される写真数は、取材でカメラマンが撮影した総写真数の約５０〜７０％であり、この際に使用されなかった写真は、その他でまったく利用されていない。
【００１０】
本発明は、以上の点に鑑みて創案されたものであり、出版した者が書籍の売上を正確に把握できると共に書籍の編集において収集した情報を書籍販売促進に役立たせることができる書籍販売システムを提供することを目的とする。
【課題を解決するための手段】
【００１１】
上記の目的を達成するために、本発明の書籍販売システムは、書籍を出版する出版管理サーバと、ユーザ端末を有する書籍販売システムであって、前記出版管理サーバは、出版される書籍の解説情報を提供する書籍解説情報提供手段と、識別符号をユーザ端末に付与する識別符号付与手段と、前記ユーザ端末から、出版される書籍を受注する受注手段と、受注した書籍を出版してユーザ端末へ送付する書籍送付手段とを備え、前記ユーザ端末は、付与された識別符号を入力すると共に前記出版管理サーバに出版される書籍を発注する発注手段を備え、前記解説情報は画像情報を有すると共に、同画像情報は出版される書籍に使用される画像情報とは異なるものである。
【００１２】
ここで、出版される書籍の解説情報を提供する書籍解説情報提供手段によって、ユーザは出版される書籍の情報を、書籍購入前に知ることができる。
また、解説情報は画像情報を有すると共に、画像情報は出版される書籍に使用される画像情報とは異なるものであることによって、書籍の編集時に使用されなかった写真等の画像情報を有効に利用できる。
また、ユーザ端末から、出版される書籍を受注する受注手段と、受注した書籍を出版してユーザ端末へ送付する書籍送付手段とによって、出版社は取次ぎ会社や書店を通さずに、直接ユーザ端末から書籍の注文をとってユーザ端末に届けることができるので、取次ぎ会社へ支払う費用を削除できると共に、売上金を早期に回収できる。
【００１３】
また、本発明の書籍販売システムにおいて、書籍送付手段が、電子化された書籍をユーザ端末に送信する電子書籍送信手段を備え、ユーザ端末が、電子書籍送信手段から送信される電子化された書籍を受信する電子書籍受信手段を備える場合には、ユーザは即座に書籍を入手することができる。
【００１４】
また、上記の目的を達成するために、本発明の書籍販売システムは、付与された識別符号を入力すると共に出版される書籍を発注する発注手段を備えるユーザ端末に対して書籍を出版する出版管理サーバを有する書籍販売システムであって、前記出版管理サーバは、出版される書籍の解説情報を提供する書籍解説情報提供手段と、識別符号をユーザ端末に付与する識別符号付与手段と、前記ユーザ端末から出版される書籍を受注する受注手段と、受注した書籍を出版してユーザ端末へ送付する書籍送付手段とを備え、前記解説情報は画像情報を有すると共に、同画像情報は出版される書籍に使用される画像情報とは異なるものである。
【００１５】
ここで、出版される書籍の解説情報を提供する書籍解説情報提供手段によって、ユーザは出版される書籍の情報を、書籍購入前に知ることができる。
また、解説情報は画像情報を有すると共に、画像情報は出版される書籍に使用される画像情報とは異なるものであることによって、書籍の編集時に使用されなかった写真等の画像情報を有効に利用できる。
また、ユーザ端末から、出版される書籍を受注する受注手段と、受注した書籍を出版してユーザ端末へ送付する書籍送付手段とによって、出版社は取次ぎ会社や書店を通さずに、直接ユーザ端末から書籍の注文をとってユーザ端末に届けることができるので、取次ぎ会社へ支払う費用を削除できると共に、売上金を早期に回収できる。
【発明の効果】
【００１６】
本発明に係る書籍販売システムによって、出版した者は書籍の売上を正確に把握できると共に書籍の編集において収集した情報を書籍販売促進に役立たせることができる。
【発明を実施するための最良の形態】
【００１７】
以下、本発明の実施の形態について図面を参照しながら説明し、本発明の理解に供する。
図１は、本発明を適用した書籍販売システムの概略図である。図１において、本発明を適用した書籍販売システムは、書籍を出版する出版管理サーバ１と、ユーザ端末８とからなり、出版管理サーバ１とユーザ端末８とはインターネット７を介して双方向の通信が可能である。
出版管理サーバ１は、出版される書籍の解説情報を提供する書籍解説情報提供手段２と、識別符号をユーザ端末に付与する識別符号付与手段３と、ユーザ端末から、出版される書籍を受注する受注手段４と、受注した書籍を出版してユーザ端末へ送付する書籍送付手段５とを備え、書籍送付手段５は、電子化された書籍をユーザ端末に送信する電子書籍送信手段６を備えている。
ユーザ端末８は、付与された識別符号を入力すると共に出版管理サーバに出版される書籍を発注する発注手段９と、電子書籍送信手段から送信される電子化された書籍を受信する電子書籍受信手段１０とを備える。
【００１８】
ここで、出版管理サーバ１が、出版される書籍の解説情報を提供する書籍解説情報提供手段２と、識別符号をユーザ端末に付与する識別符号付与手段３と、ユーザ端末から、出版される書籍を受注する受注手段４と、受注した書籍を出版してユーザ端末へ送付する書籍送付手段５とを備えていれば、必ずしも書籍送付手段５は、電子化された書籍をユーザ端末に送信する電子書籍送信手段６を備えていなくてもよい。
【００１９】
また、書籍解説情報提供手段は具体的には例えば、出版される書籍の解説情報が掲載された書籍のホームページである。また、ホームページに掲載される解説情報には画像情報（写真等）が含まれているが、この画像情報は出版される書籍に使われる画像情報とは異なるもの即ち出版される書籍には使われなかった画像情報である。
また、識別符号は、ＩＤとパスワードの組み合わせであり、書籍のホームページ上にて、所定の料金の支払いとユーザに関する情報をユーザ端末から入力することを条件にユーザ端末に付与されるものである。また、このようにして識別符号が付与されて会員登録されたユーザには、定期的に所望の書籍が直送される。
また、ホームページに一定期間掲載された情報は、編集されてＤＶＤ等の記録媒体に記録され、販売される。
【００２０】
このように、本発明を適用した書籍販売システムは、出版管理サーバが、出版される書籍の解説情報を提供する書籍解説情報提供手段と、識別符号をユーザ端末に付与する識別符号付与手段と、ユーザ端末から、出版される書籍を受注する受注手段と、受注した書籍を出版してユーザ端末へ送付する書籍送付手段とを備え、ユーザ端末が、付与された識別符号を入力すると共に出版管理サーバに出版される書籍を発注する発注手段を備え、解説情報は画像情報を有すると共に、画像情報は、出版される書籍に使用される画像情報とは異なるので、書籍に使用されなかった写真等の画像情報をホームページに掲載して書籍の広告宣伝として有効に利用でき、また、出版社は取次ぎ会社や書店を通さずに、直接ユーザから書籍の注文をとってユーザに届けることができ、よって、発行部数が即ち販売部数になり、販売部数が即ち売上になり、出版社が書籍の売上を正確に把握できると共に書籍の編集において収集した情報を書籍販売促進に役立たせることができる。
【００２１】
また、出版社は取次ぎ会社を通さずに、ユーザに直販するので、取次ぎ会社へ支払う費用を削除できると共に、発送先のユーザ情報（住所、氏名等）を出版社が把握でき、更に売上金を早期に回収できる。
【００２２】
また、所定の料金を支払って会員登録したユーザに書籍を発送するので、委託制度を利用した書店での販売に比べて返本数を低減することができる。また、会員登録したユーザは書店等に出向くことなく書籍を入手できる。また、書籍代は、会員費の名目なので、値下げして書籍を販売することもできる。
【００２３】
また、電子化された書籍をユーザ端末に送信する電子書籍送信手段によって、インターネット等を介してユーザは即座に書籍を入手できると共に、ダウンロード課金とすることができる。
【００２４】
また、書籍に使われなかった写真をホームページに掲載するので、紙面のように掲載スペースが制限されることはなく、取材で収集した写真を有意義に使用することができる。また、ホームページに一定期間掲載された情報は、編集されてＤＶＤ等の記録媒体に記録され、販売されるので、画像情報等の２次利用により更に利益を生み出すことができる。
【図面の簡単な説明】
【００２５】
【図１】本発明を適用した書籍販売システムの概略図である。
【符号の説明】
【００２６】
１    出版管理サーバ
２    書籍解説情報提供手段
３    識別符号付与手段
４    受注手段
５    書籍送付手段
６    電子書籍送信手段
７    インターネット
８    ユーザ端末
９    発注手段
１０    電子書籍受信手段
【図１】
2007157067.tif 000003